(57)【要約】【課題】消費電力の削減及び測位時間の短縮を図ることが可能な携帯電話機を提供する。【解決手段】制御部１７は入力部１６から入力された緯度・経度情報を記憶部１８に保存し、現在位置の測位を開始する。制御部１７は最初の測位時、ＧＰＳ測位を行い、ＧＰＳアンテナ１４からＧＰＳデータを受信し、ＧＰＳ部１５にて現在地の緯度・経度情報の算出を行って記憶部１８に保存する。距離計算部１９は初めに登録された目標地の緯度・経度情報と測位した現在地の緯度・経度情報とから現在地から目標地までの距離を算出し、記憶部１８に保存する。測位方法判定部２０は距離計算部１９で算出した現在地から目標地までの残り距離を基に、次回に測位を行う時に実施する測位方法の選択を行う。【選択図】      図１
2004159026.tif 000002
【特許請求の範囲】
【請求項１】
全地球測位システムによって現在地の測位が可能な携帯電話機であって、目標地点と現在地との距離を算出する手段と、算出された距離に応じて自端末の存在エリアを判別する手段と、その判別結果に応じて測位の精度が異なる測位方法を切替える手段とを有することを特徴とする携帯電話機。
【請求項２】
前記測位方法を切替える手段は、前記自端末の存在エリアが前記目標地点に近いエリアの時に詳細な測位を行う測位方法を、前記自端末の存在エリアが前記目標地点から遠いエリアの時に粗い測位を行う測位方法を、前記自端末の存在エリアが前記目標地点との中間エリアの時に中間レベルの測位を行う測位方法を選択することを特徴とする請求項１記載の携帯電話機。
【請求項３】
前記測位方法を切替える手段は、前記中間レベルの測位を行う時に、自端末の受信レベルの強弱に応じて前記測位方法を選択することを特徴とする請求項２記載の携帯電話機。
【請求項４】
前記自端末の受信レベルの強弱に応じて前記測位方法を選択する際に、前記測位方法を切替えるための閾値レベルを目標地点からの距離に応じて設定し、前記目標地点に近づくにつれて前記詳細な測位を選択する回数が増加するように制御することを特徴とする請求項３記載の携帯電話機。
【請求項５】
前記詳細な測位を行う測位方法が前記全地球測位システムによる測位であることを請求項２から請求項４のいずれか記載の携帯電話機。
【請求項６】
前記粗い測位を行う測位方法が基地局の位置情報による測位であることを請求項２から請求項５のいずれか記載の携帯電話機。
【請求項７】
全地球測位システムによって現在地の測位が可能な携帯電話機の測位切替方法であって、前記携帯電話機に、目標地点と現在地との距離を算出するステップと、算出された距離に応じて自端末の存在エリアを判別するステップと、その判別結果に応じて測位の精度が異なる測位方法を切替えるステップとを有することを特徴とする測位切替方法。
【請求項８】
前記測位方法を切替えるステップは、前記自端末の存在エリアが前記目標地点に近いエリアの時に詳細な測位を行う測位方法を、前記自端末の存在エリアが前記目標地点から遠いエリアの時に粗い測位を行う測位方法を、前記自端末の存在エリアが前記目標地点との中間エリアの時に中間レベルの測位を行う測位方法を選択することを特徴とする請求項７記載の測位切替方法。
【請求項９】
前記測位方法を切替えるステップは、前記中間レベルの測位を行う時に、自端末の受信レベルの強弱に応じて前記測位方法を選択することを特徴とする請求項８記載の測位切替方法。
【請求項１０】
前記自端末の受信レベルの強弱に応じて前記測位方法を選択する際に、前記測位方法を切替えるための閾値レベルを目標地点からの距離に応じて設定し、前記目標地点に近づくにつれて前記詳細な測位を選択する回数が増加するように制御することを特徴とする請求項９記載の測位切替方法。
【請求項１１】
前記詳細な測位を行う測位方法が前記全地球測位システムによる測位であることを請求項８から請求項１０のいずれか記載の測位切替方法。
【請求項１２】
前記粗い測位を行う測位方法が基地局の位置情報による測位であることを請求項８から請求項１１のいずれか記載の測位切替方法。
【請求項１３】
全地球測位システムによって現在地の測位が可能な携帯電話機の測位切替方法のプログラムであって、コンピュータに、目標地点と現在地との距離を算出する処理と、算出された距離に応じて自端末の存在エリアを判別する処理と、その判別結果に応じて測位の精度が異なる測位方法を切替える処理とを実行させるためのプログラム。
【発明の詳細な説明】
【０００１】
【発明の属する技術分野】
本発明は携帯電話機及びそれに用いる測位切替方法並びにそのプログラムに関し、特にＧＰＳ（Ｇｌｏｂａｌ  Ｐｏｓｉｔｉｏｎｉｎｇ  Ｓｙｓｔｅｍ：全地球測位システム）を搭載した携帯電話機に関する。
【０００２】
【従来の技術】
従来、携帯電話機やＰＤＡ（Ｐｅｒｓｏｎａｌ  Ｄｉｇｉｔａｌ  Ａｓｓｉｓｔａｎｔ：携帯情報端末）等の携帯情報端末装置においては、その端末装置を所持する利用者の現在位置を検出するために、ＧＰＳを搭載するものがある。
【０００３】
このＧＰＳを搭載する携帯情報端末装置の技術としては、ＧＰＳ測位装置がＧＰＳ受信端末から得た無線基地局のＩＤ情報に基づいてその位置を割出し、ＧＰＳ受信端末が通信エリアに属する無線基地局の位置に基づいてＧＰＳ受信端末から各ＧＰＳ衛星までの疑似距離を算出することで、ＧＰＳ受信端末とＧＰＳ測位装置との間の距離制限によるＧＰＳ測位範囲を改善する技術がある（例えば、特許文献１参照）。
【０００４】
また、ＧＰＳを搭載する携帯情報端末装置の他の技術としては、移動局と通信通信する基地局を選択する際に、ＧＰＳによって移動局の現在位置情報を測位し、移動局と最近距離にある基地局を選択する技術がある（例えば、特許文献２参照）。
【０００５】
上記以外の他の技術としては、受信可能なＧＰＳ衛星が２個以下であるような、本来、ＧＰＳ測位を行うことができない状況においても、ＰＨＳ（Ｐｅｒｓｏｎａｌ  Ｈａｎｄｙ−ｐｈｏｎｅ  Ｓｙｓｔｅｍ）基地局の位置情報を加味することで、現在位置測位を可能とする技術がある（例えば、特許文献３参照）。
【０００６】
【特許文献１】
特開２０００−２４１５２６号公報（第５〜７頁、図１，２）
【０００７】
【特許文献２】
特開２０００−３４１７３７号公報（第２，３頁、図１，２）
【０００８】
【特許文献３】
特開２００１−３０５２１０号公報（第６〜８頁、図１）
【０００９】
【発明が解決しようとする課題】
上述した従来のＧＰＳを搭載する携帯情報端末装置では、現在地の測位を行う場合、目標地に近いエリアでは詳細な測位情報が必要であるが、遠いエリアでは測位情報としてポイントとなる代表地点の情報で良いということが往々にしてある。
【００１０】
この場合には、ＧＰＳを用いて測位していれば、目標地に近いエリアの測位を詳細に行うことができるが、目標地から遠いエリアでも詳細な測位を行ってしまうため、測位の無駄が多く発生してしまう。また、その場合には、ＧＰＳ測位をしているため、測位に時間がかかり、また消費電力も大きくなる。
【００１１】
さらに、ＧＰＳを搭載する携帯情報端末装置においては、携帯電話機の基地局の位置情報を受信し、現在位置とする方法もあるが、これでは目標地に近いエリアを詳細に測位することができない。
【００１２】
そこで、本発明の目的は上記の問題点を解消し、消費電力の削減及び測位時間の短縮を図ることができる携帯電話機及びそれに用いる測位切替方法並びにそのプログラムを提供することにある。
【００１３】
【課題を解決するための手段】
本発明による携帯電話機は、全地球測位システムによって現在地の測位が可能な携帯電話機であって、目標地点と現在地との距離を算出する手段と、算出された距離に応じて自端末の存在エリアを判別する手段と、その判別結果に応じて測位の精度が異なる測位方法を切替える手段とを備えている。
【００１４】
本発明による測位切替方法は、全地球測位システムによって現在地の測位が可能な携帯電話機の測位切替方法であって、前記携帯電話機に、目標地点と現在地との距離を算出するステップと、算出された距離に応じて自端末の存在エリアを判別するステップと、その判別結果に応じて測位の精度が異なる測位方法を切替えるステップとを備えている。
【００１５】
本発明による測位切替方法のプログラムは、全地球測位システムによって現在地の測位が可能な携帯電話機の測位切替方法のプログラムであって、コンピュータに、目標地点と現在地との距離を算出する処理と、算出された距離に応じて自端末の存在エリアを判別する処理と、その判別結果に応じて測位の精度が異なる測位方法を切替える処理とを実行させている。
【００１６】
すなわち、本発明の携帯電話機は、ＧＰＳ（Ｇｌｏｂａｌ  Ｐｏｓｉｔｉｏｎｉｎｇ  Ｓｙｓｔｅｍ：全地球測位システム）を搭載した端末において、現在位置の測位方法を、目標地点からの距離に応じて、あるいは携帯電話機の下り信号の受信レベルの強弱に応じて最適に切替えることを特徴とする。
【００１７】
このように、本発明の携帯電話機では、位置測位の際に、消費電力が大きくかつ測位時間のかかるＧＰＳを使用して常時測位するのではなく、目標地からの距離に応じて、現在地の目標地からの距離に見合った測位方法を自動的に切替えているので、ＧＰＳ搭載携帯電話機を用いて現在位置測位を行う際、常にＧＰＳ測位を行っているのではないため、消費電力の削減及び測位時間の短縮を図ることが可能となる。
【００１８】
また、本発明の携帯電話機では、目標地から遠い場所にいる時に、携帯電話基地局の位置を受信し、それを現在地とし、また目標地点に近づくにつれて徐々にＧＰＳ測位を選択する回数が増加するように制御しているので、目標地から遠い場所にあっては往々にして詳細な緯度・経度情報を必要としない場合が多いため、測位した緯度・経度情報の変化に応じて常に正確な地図や地名を表示させるもしくは何らかの実行命令を返すシステムにおいて、現在地がまだ目標地から遠い場所にある時に、必要以上に地図や地名の更新、実行命令の発生を行わなくすることが可能となる。
【００１９】
さらに、本発明の携帯電話機では、現在地測位した時点に目標地までの距離を算出し、その距離に応じて次の測位方法を決定しているので、位置測位の選択を自動で行うことによって、使用者の操作を軽減することが可能となる。
【００２０】
【発明の実施の形態】
次に、本発明の実施例について図面を参照して説明する。図１は本発明の一実施例による携帯電話機の構成を示すブロック図である。図１において、携帯電話機１は携帯電話用アンテナ１１と、携帯電話送受信部１２と、受信レベル検出部１３と、ＧＰＳ（Ｇｌｏｂａｌ  Ｐｏｓｉｔｉｏｎｉｎｇ  Ｓｙｓｔｅｍ：全地球測位システム）アンテナ１４と、ＧＰＳ部１５と、入力部１６と、制御部１７と、記憶部１８と、距離計算部１９と、測位方法判定部２０と、報知部２１と、記録媒体２２とから構成されている。
【００２１】
携帯電話用アンテナ１１は図示せぬ携帯電話網からデータの受信及び送信を行い、携帯電話送受信部１２は携帯電話用アンテナ１１から受信するデータまたは送信するデータの復調または変調を行う。受信レベル検出部１３は携帯電話用アンテナ１１で受信した電波から下り信号の受信レベルを検出する。
【００２２】
ＧＰＳアンテナ１４は図示せぬＧＰＳ衛星から送信される電波をキャッチし、ＧＰＳ部１５はＧＰＳアンテナ１４で受信したＧＰＳデータから現在地の位置情報（緯度・経度情報）を算出する。入力部１６では目標地点の緯度・経度情報の設定もしくはキー入力が行われる。
【００２３】
制御部１７は記録媒体２２に格納されたプログラム（コンピュータで実行可能なプログラム）を実行することで、携帯電話機１内部の各種動作の制御を行う。記憶部１８は入力部１６から入力された目標地点の位置情報や現在地の位置情報、そして距離計算部１９で算出した距離に応じて決まるフラグ（ｆｌａｇ）情報等を記憶する。
【００２４】
距離計算部１９は現在地−目標地間の２地点間距離を計算する。測位方法判定部２０は現在地の位置情報をＧＰＳ測位によって取得するか、または携帯電話用基地局（図示せず）の位置情報を現在地の位置情報として取得するかを選択する。報知部２１は現在位置が目標地点に到達したことを音・光・振動・表示等で外部に報知する。
【００２５】
図２及び図３は本発明の一実施例による携帯電話機１の動作を示すフローチャートであり、図４は本発明の一実施例による携帯電話機１における測位切替方法を示す図である。これら図１〜図４を参照して本発明の一実施例による携帯電話機１における目標地点に対する現在位置測位を行う動作について説明する。尚、これら図２及び図３に示す処理は制御部１７が記録媒体２２のプログラムを実行することで実現される。
【００２６】
本発明の一実施例では現在位置測位を行う動作を実行する場合、制御部１７は開始時に初期設定としてフラグ値の初期化を行い、初期値としてフラグ値に“００”を設定する（図２ステップＳ１）。尚、このフラグ値については後述する。次に、制御部１７は目標地点の登録を行うために、入力部１６から目標地点の緯度・経度情報を入力させ、入力部１６から入力された緯度・経度情報を記憶部１８に保存する（図２ステップＳ２）。
【００２７】
続いて、制御部１７は目標地点の設定後、現在位置の測位を開始する。緯度・経度情報の取得方法としてはフラグ値を読込み、随時切替える。制御部１７は目標地点設定後の最初の測位時、フラグ値は初期化されたフラグ値（フラグ値＝“００”）が必ず読込まれ、フラグ値が“００”である場合（図２ステップＳ３）、ＧＰＳ測位を行い、ＧＰＳアンテナ１４からＧＰＳデータを受信し（図２ステップＳ４）、ＧＰＳ部１５にて現在地の緯度・経度情報の算出を行って記憶部１８に保存する（図２ステップＳ５）。
【００２８】
次に、距離計算部１９は初めに登録された目標地の緯度・経度情報と、ＧＰＳアンテナ１４及びＧＰＳ部１５によって先程測位した現在地の緯度・経度情報とを記憶部１８から呼出し、現在地から目標地までの距離を算出し、記憶部１８に保存する（図２ステップＳ６）。その後、測位方法判定部２０は次回に測位を行う時に実施する測位方法（緯度・経度情報取得方法）の選択を行う。次回に測位を行う時に実施する測位方法の判定は、距離計算部１９で算出した現在地から目標地までの残り距離を基に行う。
【００２９】
まず初めに、制御部１７は目標地までの残り距離が目標地エリア（図４の半径ａのエリア）内であった場合（距離＜ａ）（図２ステップＳ７）、目標地に到達したと判断し、次回の測位を行わず、報知部２１から音・光・振動・表示等で目標地に到達したことを知らせ（図２ステップＳ８）、処理を終了する。
【００３０】
また、制御部１７は目標地までの残り距離が目標地エリア外で（図２ステップＳ７）、かつ目標地から半径ｂ内であるＧＰＳ測位エリア（図４参照）内であった場合（距離＜ｂ）（図２ステップＳ９）、次回の測位方法として「ＧＰＳ測位」に決定し、フラグ値を“００”に設定する（図２ステップＳ１０）。
【００３１】
さらに、制御部１７は目標地までの残り距離がＧＰＳ測位エリア外で（図２ステップＳ９）、かつ目標地から半径ｃ内である基地局／ＧＰＳ測位エリア（図４参照）内であった場合（距離＜ｃ）（図２ステップＳ１１）、次回の測位方法として「ＧＰＳ測位もしくは携帯電話用基地局の位置情報取得」に決定し、フラグ値を“０１”に設定する（図２ステップＳ１２）。
【００３２】
さらにまた、制御部１７は目標地までの残り距離が基地局／ＧＰＳ測位エリア外であった場合（図２ステップＳ１１）、次回の測位方法として「携帯電話基地局の位置情報取得」に決定し、フラグ値を“１０”に設定する（図２ステップＳ１３）。フラグ値が“１０”であるということは、現在値が目標地点からまだ遠い位置にあることを意味しており、次回測位時にはまだ詳細な位置情報測位が必要ないということである。
【００３３】
上記の処理によって、次回測位方法が決定した後、制御部１７は２回目の測位を行う。この場合、制御部１７は記憶部１８からフラグ値を読出し、フラグ値にしたがって測位方法を切替える（図２ステップＳ３，Ｓ１４，Ｓ１５）。
【００３４】
今、前回測位した地点が基地局測位エリア内であり、フラグ値＝“１０”であったとすると（図２ステップＳ１５）、制御部１７はフラグ値が“１０”であるので、２回目の測位を、携帯電話用基地局の位置情報を取得することによって行う。
【００３５】
携帯電話機１においては携帯電話送受信部１２及び携帯電話用アンテナ１１から基地局に対して、基地局の緯度・経度情報要求信号を送信する。緯度・経度情報要求信号を受信した基地局は自局の緯度・経度情報を返信する。制御部１７は携帯電話用アンテナ１１及び携帯電話送受信部１２によってこの基地局の緯度・経度情報を受信すると、その情報を現在地として記憶部１８に保存する（図２ステップＳ１６）。
【００３６】
次に、制御部１７は距離計算部１９で目標地の緯度・経度情報と先程基地局から取得した現在地の緯度・経度情報とを記憶部１８から呼出し、現在地から目標地までの残り距離を算出する（図２ステップＳ６）。
【００３７】
制御部１７は自端末が前回測位時より移動しており、残り距離が基地局／ＧＰＳ測位エリア（図４参照）にあるとすると（図２ステップＳ７，Ｓ９，Ｓ１１）、測位方法判定部２０によって次回の測位方法として「ＧＰＳ測位もしくは携帯電話基地局の位置情報取得」に決定し、フラグ値を“０１”に設定する（図２ステップＳ１２）。フラグ値が“０１”であるということは、現在値が目標地点からまだ中間位置にあることを意味しており、次回測位時にはある程度詳細な位置情報測位を必要とするということである。
【００３８】
上述した処理によって次回の測位方法が決定した後、制御部１７は３回目の測位を行う。制御部１７はフラグ値の判定で、今回のフラグ値が“０１”であるので（図２ステップＳ１４）、測位方法として「ＧＰＳ測位」と「携帯電話用基地局の位置情報取得」との２通りがあり得る。
【００３９】
そこで、制御部１７は受信レベル検出部１３によって携帯電話用アンテナ１１で受信している下り受信信号の受信レベルを検出し（図３ステップＳ１７）、さらに受信レベルに閾値を設け、閾値より受信信号のレベルが大きいか小さいかを判定することによって測位方法を決定する（図３ステップＳ１８）。
【００４０】
閾値レベルより受信信号レベルが大きいということは、現在地から近い位置に携帯電話用基地局があるということであるので（図３ステップＳ１８）、制御部１７は測位方法として「携帯電話用基地局の位置情報取得」を選択する（図２ステップＳ１６）。以降の動作は上記の２回目の測位で説明した「携帯電話基地局の位置情報取得」の動作と同じである（図２ステップＳ１６，Ｓ６〜）。
【００４１】
また、閾値レベルより受信信号レベルが小さいということは、現在地から離れた位置に携帯電話用基地局があるということであるので（図３ステップＳ１８）、制御部１７は測位方法として「ＧＰＳ測位」を選択する（図２ステップＳ４）。以降の動作は上記の１回目の測位で説明した「ＧＰＳ測位」の動作と同じである（図２ステップＳ４〜）。
【００４２】
制御部１７は現在地情報を算出もしくは取得し、距離計算部１９で目標地までの残り距離を算出したところ（図２ステップＳ６）、前回測位時より移動しており、残り距離がＧＰＳ測位エリア（図４参照）にあるとすると（図２ステップＳ７，Ｓ９）、測位方法判定部２０によって次回の測位方法として「ＧＰＳ測位」に決定し、フラグ値を“００”に設定する（図２ステップＳ１０）。フラグ値が“００”であるということは、現在値が目標地点に近い位置にあることを意味しており、次回測位時には詳細な位置情報測位を必要とするということである。
【００４３】
上述した処理によって次回の測位方法が決定した後、制御部１７は４回目の測位を行う。以降、制御部１７はフラグ値にしたがって上記の処理動作を目標地点に到着するまで繰り返す。
【００４４】
このように、本実施例では、位置測位の際に、消費電力が大きくかつ測位時間のかかるＧＰＳを使用して常時測位するのではなく、目標地からの距離に応じて、現在地の目標地からの距離に見合った測位方法を自動的に切替えているため、携帯電話機１で現在位置測位を行う際、常にＧＰＳ測位を行う必要がないので、消費電力の削減及び測位時間の短縮を図ることができる。
【００４５】
また、本実施例では、目標地から遠い場所で、携帯電話用基地局の位置を受信し、それを現在地とし、また、目標地点に近づくにつれて徐々にＧＰＳ測位を選択する回数が増加するように制御しているので、目標地から遠い場所にあっては往々にして詳細な緯度・経度情報を必要としない場合が多いため、測位した緯度・経度情報の変化に応じて常に正確な地図や地名を表示させる、もしくは何らかの実行命令を返すシステムにおいて、現在地がまだ目標地から遠い場所にある時に、必要以上に地図や地名の更新、実行命令の発生を行わせないことができる。さらに、本実施例では、現在地測位した時点に目標地までの距離を算出し、その距離に応じて次の測位方法を決定しているので、位置測位の選択を自動で行うことで、使用者の操作を軽減することができる。
【００４６】
図５は本発明の他の実施例による携帯電話機の構成を示すブロック図である。図５において、本発明の他の実施例は閾値レベル判定部２３を追加した以外は図１に示す本発明の一実施例による携帯電話機１と同様の構成となっており、同一構成要素には同一符号を付してある。また、同一構成要素の動作は本発明の一実施例と同様である。
【００４７】
図６は本発明の他の実施例による携帯電話機２の動作を示すフローチャートであり、図７は本発明の他の実施例による携帯電話機２における測位切替方法を示す図である。本発明の他の実施例による測位切替方法は閾値レベル判定（図６ステップＳ２１）を追加した以外は図２及び図３に示す本発明の一実施例による測位切替方法と同様となっている。つまり、本発明の他の実施例による測位切替方法は図２に示す処理動作に図６に示す処理動作を付加したものである。
【００４８】
これら図２と図５〜図７とを参照して本発明の他の実施例による携帯電話機２における目標地点に対する現在位置測位を行う動作について説明する。尚、これら図２及び図６に示す処理は制御部１７が記録媒体２２のプログラムを実行することで実現される。
【００４９】
制御部１７は現在地情報を測位する時にフラグ値が“０１”であった場合（図２ステップＳ１４）、本発明の一実施例では「ＧＰＳ測位」もしくは「携帯電話基地局の位置情報取得」の測位方法選択を、携帯電話用アンテナ１１で受信している下り受信信号の受信レベルが固定の閾値より大きいレベルにあるか、それとも小さいレベルにあるかによって決定しているが、本実施例では、閾値レベルを可変にし、より効果的に選択することを可能としている。
【００５０】
つまり、制御部１７は現在地情報を測位する時にフラグ値が“０１”であった場合（図２ステップＳ１４）、閾値レベル判定部２３によって記憶部１８から前回測位した地点における目標地までの残り距離データを読出し、この残り距離に応じて閾値レベルを決定する（図６ステップＳ２１）。
【００５１】
以下に、閾値レベルの決定方法について説明する。記憶部１８には、事前に、例えば、
閾値レベル１：１０ｄＢμ
閾値レベル２：１５ｄＢμ
閾値レベル３：２０ｄＢμ
閾値レベル４：３０ｄＢμ
閾値レベル５：４０ｄＢμ
というような閾値レベル情報が保存されている。
【００５２】
また、図７に示すように、基地局／ＧＰＳ測位エリアを、目標地点からの距離に応じて、目標地点から遠い順に“閾値レベル１エリア”、“閾値レベル２エリア”、…、“閾値レベル５エリア”と同心円状に分割する。図７に示す例について説明すると、閾値レベル判定部２３は記憶部１８から前回の残り距離データを呼出し、前回測位地点が閾値レベル２エリアにあると判定する。これによって、使用する閾値を“閾値レベル２（１５ｄＢμ）”と決定する。
【００５３】
制御部１７は閾値レベル決定後、受信レベル検出部１３によって携帯電話用アンテナ１１で受信している下り受信信号の受信レベルを検出し（図６ステップＳ１７）、閾値レベル２（１５ｄＢμ）より受信信号のレベルが大きいか小さいか判定することによって測位方法を決定する（図６ステップＳ１８）。これによって、前回測位地点が目標地点から遠いほど、「携帯電話基地局の位置情報取得」の測位を選択し易く、また前回測位地点が目標地点に近いほど「ＧＰＳ測位」の測位を選択し易く制御することが可能となる。これ以降の動作は上述した本発明の一実施例の動作と同様である。
【００５４】
このように、本実施例では、位置測位の際に、消費電力が大きくかつ測位時間のかかるＧＰＳを使用して常時測位するのではなく、目標地からの距離に応じて、現在地の目標地からの距離に見合った測位方法を自動的に切替えているため、携帯電話機１で現在位置測位を行う際、常にＧＰＳ測位を行う必要がないので、消費電力の削減及び測位時間の短縮を図ることができる。
【００５５】
また、本実施例では、目標地から遠い場所で、携帯電話用基地局の位置を受信し、それを現在地とし、また、目標地点に近づくにつれて徐々にＧＰＳ測位を選択する回数が増加するように制御しているので、目標地から遠い場所にあっては往々にして詳細な緯度・経度情報を必要としない場合が多いため、測位した緯度・経度情報の変化に応じて常に正確な地図や地名を表示させる、もしくは何らかの実行命令を返すシステムにおいて、現在地がまだ目標地から遠い場所にある時に、必要以上に地図や地名の更新、実行命令の発生を行わせないことができる。さらに、本実施例では、現在地測位した時点に目標地までの距離を算出し、その距離に応じて次の測位方法を決定しているので、位置測位の選択を自動で行うことで、使用者の操作を軽減することができる。
【００５６】
【発明の効果】
以上説明したように本発明は、全地球測位システムによって現在地の測位が可能な携帯電話機において、目標地点と現在地との距離を算出し、その算出された距離に応じて自端末の存在エリアを判別し、その判別結果に応じて測位の精度が異なる測位方法を切替えることによって、消費電力の削減及び測位時間の短縮を図ることができるという効果が得られる。
【図面の簡単な説明】
【図１】本発明の一実施例による携帯電話機の構成を示すブロック図である。
【図２】本発明の一実施例による携帯電話機の動作を示すフローチャートである。
【図３】本発明の一実施例による携帯電話機の動作を示すフローチャートである。
【図４】本発明の一実施例による携帯電話機における測位切替方法を示す図である。
【図５】本発明の他の実施例による携帯電話機の構成を示すブロック図である。
【図６】本発明の他の実施例による携帯電話機の動作を示すフローチャートである。
【図７】本発明の他の実施例による携帯電話機における測位切替方法を示す図である。
【符号の説明】
１，２  携帯電話機
１１  携帯電話用アンテナ
１２  携帯電話送受信部
１３  受信レベル検出部
１４  ＧＰＳアンテナ
１５  ＧＰＳ部
１６  入力部
１７  制御部
１８  記憶部
１９  距離計算部
２０  測位方法判定部
２１  報知部
２２  記録媒体
２３  閾値レベル判定部
【図１】
2004159026.tif 000003
【図２】
2004159026.tif 000004
【図３】
2004159026.tif 000005
【図４】
2004159026.tif 000006
【図５】
2004159026.tif 000007
【図６】
2004159026.tif 000008
【図７】
2004159026.tif 000009